(57)【特許請求の範囲】
【請求項１】
カメラとコネクタを介して接続され、前記コネクタを介して接続されたカメラと通信を行うとともに接続されたカメラに電力を供給する情報記録再生装置において、
前記情報記録再生装置と接続されたカメラに電力を供給するための電源と、前記情報記録再生装置へ供給する電力の容量を制御する制御手段を有し、前記制御手段は、接続されたカメラによって所定量以上の電力が消費される場合は、前記情報記録再生装置に供給する電力を制限することを特徴とする情報記録再生装置。
【請求項２】
カメラとコネクタを介して接続され、接続されたカメラと通信を行うとともに接続されたカメラに電力を供給する情報記録再生装置において、
前記情報記録再生装置と接続されたカメラに電力を供給するための電源と、前記情報記録再生装置へ供給する電力の容量を制御する制御手段を有し、前記制御手段は、接続されたカメラが所定の状態に設定された場合は、前記情報記録再生装置に供給する電力を制限することを特徴とする情報記録再生装置。
【請求項３】
カメラとコネクタを介して接続され、接続されたカメラと通信を行うとともに接続されたカメラに電力を供給する情報記録再生装置において、
前記情報記録再生装置と接続されたカメラに電力を供給するための電源と、前記情報記録再生装置へ供給する電力の容量を制御する制御手段を有し、前記制御手段は、前記情報記録再生装置が所定の状態である場合には、前記情報記録再生装置に供給する電力を制限することを特徴とする情報記録再生装置。
【請求項４】
前記所定の状態とは、少なくとも、撮影スタンバイ状態と、ストロボに充電する必要がある状態のいずれかであることを特徴とする請求項２に記載の情報記録再生装置。
【請求項５】
前記所定の状態とは、少なくとも、前記電源の残量が所定量以下である状態と、外部の電源から電源が供給されていない状態のいずれかであることを特徴とする請求項３に記載の情報記録再生装置。
【請求項６】
前記コネクタがカメラと接続されたことを検出する接続検出手段を有することを特徴とする請求項１ないし５のいずれかに記載の情報記録再生装置。
【請求項７】
前記制御手段は、前記情報記録再生装置に供給する電力を制限するために、少なくとも、前記情報記録再生装置の一部への電源の供給を停止することと、前記情報記録再生装置の動作周波数を制限することと、前記情報記録再生装置のタスクの一部の実行の比重を制限することのいずれかを行うことを特徴とする請求項１ないし６のいずれかに記載の情報記録再生装置。
【発明の詳細な説明】
【０００１】
【産業上の利用分野】
本発明は、カメラ手段を本体に接続可能なビデオレコーダ等、情報記録再生装置に関するものである。
【０００２】
【従来の技術】
図５は、従来の情報記録再生装置本体に、カメラを接続した模式図である。１は情報記録再生装置本体、２は情報記録再生装置本体の表示部、３は操作ボタン、４は表示部上にカーソルを表示したときカーソルを動かしたり表示部の一部を指し示すために使用するポインティングデバイス、５は情報記録再生装置本体にカメラ部を接続するための接続アダプタである。
【０００３】
６は情報記録再生装置本体とカメラ部を接続するケーブルで、情報記録再生装置本体からカメラ部へ電源を供給するための電源ライン及び情報記録再生装置本体とカメラ部との通信線などが内部に入っている。
【０００４】
７はカメラ部全体、８は撮像のためのレンズ、９は被写体を照明するためのストロボなどの照明部材、１０は撮影のためのトリガースイッチで銀塩カメラでいうところのシャッターボタンに相当する。
【０００５】
電源は、情報記録再生装置本体１に電池を内蔵しており、情報記録再生装置本体１とカメラ部７に電源が供給される構成となっている。
【０００６】
【発明が解決しようとする課題】
上記のような従来装置では、情報記録再生装置本体１が電池で駆動されているとき、カメラ部７で撮影を行うと、電源供給能力が足りなくて、撮影の瞬間に電源電圧が低下して、装置本体１またはカメラ部７の動作が停止してしまうことがあった。
【０００７】
本発明は、上記問題点に鑑み、撮影動作をするときは、装置本体側への電源供給を制限し、確実にカメラ部に電源を供給することを目的とするものである。
【０００８】
【課題を解決するための手段】
本願発明は、下記の技術的構成により前記課題を解決できたものである。
（１）カメラとコネクタを介して接続され、前記コネクタを介して接続されたカメラと通信を行うとともに接続されたカメラに電力を供給する情報記録再生装置において、前記情報記録再生装置と接続されたカメラに電力を供給するための電源と、前記情報記録再生装置へ供給する電力の容量を制御する制御手段を有し、前記制御手段は、接続されたカメラによって所定量以上の電力が消費される場合は、前記情報記録再生装置に供給する電力を制限することを特徴とする情報記録再生装置。
（２）カメラとコネクタを介して接続され、接続されたカメラと通信を行うとともに接続されたカメラに電力を供給する情報記録再生装置において、前記情報記録再生装置と接続されたカメラに電力を供給するための電源と、前記情報記録再生装置へ供給する電力の容量を制御する制御手段を有し、前記制御手段は、接続されたカメラが所定の状態に設定された場合は、前記情報記録再生装置に供給する電力を制限することを特徴とする情報記録再生装置。
（３）カメラとコネクタを介して接続され、接続されたカメラと通信を行うとともに接続されたカメラに電力を供給する情報記録再生装置において、前記情報記録再生装置と接続されたカメラに電力を供給するための電源と、前記情報記録再生装置へ供給する電力の容量を制御する制御手段を有し、前記制御手段は、前記情報記録再生装置が所定の状態である場合には、前記情報記録再生装置に供給する電力を制限することを特徴とする情報記録再生装置。
（４）前記所定の状態とは、少なくとも、撮影スタンバイ状態と、ストロボに充電する必要がある状態のいずれかであることを特徴とする前記（２）項に記載の情報記録再生装置。
（５）前記所定の状態とは、少なくとも、前記電源の残量が所定量以下である状態と、外部の電源から電源が供給されていない状態のいずれかであることを特徴とする前記（３）項に記載の情報記録再生装置。
（６）前記コネクタがカメラと接続されたことを検出する接続検出手段を有することを特徴とする前記（１）項ないし（５）項のいずれかに記載の情報記録再生装置。
（７）前記制御手段は、前記情報記録再生装置に供給する電力を制限するために、少なくとも、前記情報記録再生装置の一部への電源の供給を停止することと、前記情報記録再生装置の動作周波数を制限することと、前記情報記録再生装置のタスクの一部の実行の比重を制限することのいずれかを行うことを特徴とする前記（１）項ないし（６）項のいずれかに記載の情報記録再生装置。
【０００９】
【作用】
以上の構成により、装置本体に接続されたカメラが、所定量以上の電力を消費する例えば撮影状態にセットされたときは、本体内の電源電池から本体内の一部への電力供給を制限することによって、カメラには充分な電力供給が可能となり、支障なく撮影開始することができる。
【００１０】
【実施例】
以下、本発明に係る情報記録再生装置を実施例により説明する。
【００１１】
図１は、一実施例の情報記録再生装置とカメラ部のブロック図である。基本的な構成は、従来例で説明した図５に示すものと同様である。
【００１２】
図で破線で囲まれた左側のブロックは、図５の１に相当する情報記録再生装置本体内を示す。同様に右側のブロックは７のカメラ部に相当する。
【００１３】
１００は表示ブロック、１０１は表示のためのメモリ、１０２は情報記録再生装置本体の制御のためのシステムメモリ、１０３は電源供給の選択切り替え手段、１０４は情報記録再生装置本体を制御するマイクロプロセッサ（ＣＰＵ）、１０５は操作ボタンやポインティングデバイスなどの操作スイッチ部材である。
【００１４】
１０６は情報記録再生装置本体及びカメラ部の電源となる電池、１０７は電池の電圧を計測するために電圧値をディジタル化するＡ／Ｄ変換器、１０８は情報記録再生装置本体側に設けられた情報記録再生装置本体とカメラ部とを機械的に接続するためのコネクタ、１０９は情報記録性装置本体とカメラ部との通信のための電気的なインターフェースである。
【００１５】
２００は、カメラ部側に設けられた情報記録再生装置本体とカメラ部とを機械的に接続するためのコネクタ、２０１は撮影のためのスタンバイスイッチ、２０２は撮影トリガースイッチ、２０３はカメラ部の制御のためのマイクロプロセッサ、２０４はカメラ部側に設けられた情報記録再生装置本体とカメラ部との通信のための電気的なインターフェース、２０５は撮影されたデータを一時的に蓄えるためのメモリ、２０６はイメージセンサの出力をディジタル化するためのＡ／Ｄ変換器、２０７はＣＣＤ等のイメージセンサ、２０８は撮像レンズ、２０９は被写体を照明するためのストロボ（Ｅ．Ｆ）などの照明手段である。なお、電池１０６及び電源選択手段１０３からの太線は電源供給ラインである。
【００１６】
上記の構成による実施例の動作を図２のフローチャートを参照して説明する。
【００１７】
ステップＳ１で本体のシステムを初期化する。そしてＳ２で、システム制限条件を満たすかどうか、例えばここでは、ストロボを充電する必要があるかをチェックする。即ち不図示の測光手段で被写体の明るさを測り、所定量より暗ければストロボを発光モードにする。そして、ストロボのメインコンデンサの電圧を計測するなどして、充電量が足りなければ充電条件を満たすためにＳ３に進む。充電不足していなければＳ４へ進み、システム制限のない通常動作を行い、Ｓ５へ進む。
【００１８】
Ｓ３では、システムを制限する。例えば、表示装置のバックライトを消灯する。即ち、図１のマイクロプロセッサ１０４が電源供給選択回路を選択して、表示器１００への供給を停止する。そして、ストロボ２０９の充電を行う。所定量まで充電したら、不図示のストロボ部が自動的に充電を停止する。
【００１９】
Ｓ５では、システム終了条件、例えば電源ＯＦＦスイッチが押されたとかオートシャットダウンのタイマのタイムアウトなどが発生したか調べる。発生していればシステム全体を停止すべく主要な動作を停止させる。発生していなければ、Ｓ２に戻り上記動作を繰り返す。
【００２０】
以上の動作は情報記録再生装置本体のＯＳ（ＯＰＥＲＡＴＩＯＮ  ＳＹＳＴＥＭ）として構成されている。
【００２１】
（他の実施例）
前記実施例では、説明を簡単にするためにシステム制限条件を、ストロボを充電する必要があるかという項目に絞った例を説明したが、次の実施例説明ではシステムの制限内容は、表示装置のバックライトを消灯するという構成について説明する。しかし、実際の応用では、さらに項目や内容の追加、変更をしたシステムも可能である。
【００２２】
まずシステム制限条件について詳しく述べる。条件項目として、
条件項目Ａ  カメラ部が接続されたか。
【００２３】
条件項目Ｂ  本体の電池残量が所定量以下か。
【００２４】
条件項目Ｃ  撮影スタンバイスイッチがＯＮか。
【００２５】
条件項目Ｄ  撮影トリガースイッチがＯＮか。
【００２６】
条件項目Ｅ  ストロボを充電する必要があるか。
【００２７】
条件項目Ｆ  本体に外部から電源が供給されていないか。
【００２８】
などが挙げられる。
【００２９】
ここで条件項目Ａのカメラ部の接続は、図３に示すような構成にすれば簡単に判断できる。なお、図３に示す１０４、１０８、２００は図１に示す同一番号に対応しており、重複説明を省略する。
【００３０】
図３（ａ）はカメラ部が接続されていない状態を示す。ＣＰＵ１０４のＰＯＲＴ−Ａは高レベルとなる。
【００３１】
図３（ｂ）はカメラ部が接続された状態を示す。ＣＰＵ１０４のＰＯＲＴ−Ａは低レベルとなる。
【００３２】
上記条件項目Ａで本発明を実施した実施例の動作の一部をフローチャート図４に示す。なお図４は、図２のステップＳ２のシステム制限条件判断ステップに置き替わるものであり、図２、図４を参照して説明する。
【００３３】
ステップＳ２００ではＰＯＲＴ−Ａのレベルを調べ、高レベルであれば接続されていないものとしてＳ２０１に進む。また、低レベルであれば接続されているものとしてＳ２０２に進む。
【００３４】
Ｓ２０１では、本体システム内の記憶部に一時的に記憶しておいた、装着状態であることの記憶をクリアする。そしてＳ２０３で、本体システム内の記憶部に既に離脱状態を記憶しておいたかチェックし、されていれば図２のＳ４へ進む。記憶されていなければＳ２０５へ進む。Ｓ２０５では新たに、離脱状態であることを記憶し図２のＳ３へ進む。
【００３５】
Ｓ２０２では、本体システム内の記憶部に一時的に記憶しておいた、離脱状態であることの記憶をクリアする。そしてＳ２０４で、本体システム内の記憶部に既に装着状態を記憶しておいたかチェックし、されていれば、図２のＳ４へ進む。記憶されていなければＳ２０６へ進む。Ｓ２０６では新たに装着状態であることを記憶し図２のＳ３へ進む。
【００３６】
条件項目Ｂは、情報記録再生装置本体がカメラ部の電池電圧や電池内部抵抗などを測ってもよいし、カメラ部内のＣＰＵがこれを測って通信で本体に伝えてもよい。
【００３７】
その他の条件項目についても公知な方法で容易に実現できるので、詳しい説明は省く。
【００３８】
以上に示した項目の中で、例えば上記項目のＡだけを条件項目としてもよい。この場合は、判断が単純なので、情報記録再生装置本体のシステムの制御が簡単にできるという効果もある。
【００３９】
あるいはＡ  ＆  Ｂなど複数のＡＮＤ条件にしても良い。この場合は、不用意に電源が制限されないので、操作性の低下が少ないといった効果もある。さらにＡ  ＆  （Ｂ  ｏｒ  Ｅ）のようにＯＲ条件を加えても良い。
【００４０】
これらは、カメラ部の電力の消費特性と情報記録再生装置本体からの電源供給能力により決めればよい。即ち、情報記録再生装置本体がカメラの動作中どの段階まで動作の電力を供給できるかによる。例えば、ストロボの充電はできないがその他の動作、撮影は十分できるなら、条件はＥだけで良い。そして、電池残量が減少している時とか、周囲の温度が低いなどのために、電池の性能が十分出せなくなる場合は、条件項目を変えればよい。このように、項目の種類、組み合わせは様々のケースに対応した構成が可能である。
【００４１】
同様にシステム制限内容について以下に詳しく述べる。システムの制限項目としては、
制限項目ａ  情報記録再生装置本体の電源の少なくとも一部を落とす。
【００４２】
制限項目ｂ  情報記録再生装置本体の少なくとも一部の動作周波数を制限する。
【００４３】
制限項目ｃ  情報記録再生装置本体のタスクの一部の実行の比重を制限する、例えばバックグランド処理をやめる。比重を下げる。
【００４４】
などが挙げられる。
【００４５】
制限項目ａは、本体がもつ複数の機能の内、明らかにその時使用しない機能の電源を落とすもので、他の機能に影響が無いという利点がある。
【００４６】
制限項目ｂは、本体の表示や操作に応答が多少遅くなっても、カメラの性能は落とさずに撮影できるという利点がある。
【００４７】
制限項目ｃは、本体が例えば通信機能を持っている場合などで、通信のためのＣＰＵの負荷があまり無いときに通信のための処理の比重を下げることで、表示やその他の操作性能を落とさずに撮影ができるという利点がある。
【００４８】
そして、先の条件項目と同様に上記項目の、例えばａだけを制限としてもよい。あるいは、ａ  ＆  ｂなど複数のＡＮＤの制限にしても良い。さらに、
ａ  ＆  （ｂ  ｏｒ  ｃ）のようにＯＲ条件を加えても良い。このように、項目の種類、組み合わせは様々に構成することができる。
【００４９】
さらにまた、条件にレベルを設定してレベルに応じて制限を加えたり、制限内容を変えたりしても良い。
【００５０】
例えば、先の条件項目Ａ，Ｂ，Ｃ，Ｄ，Ｅを用いて
条件レベル１  Ａ
条件レベル２  Ａ＆Ｂ
条件レベル３  Ａ＆Ｂ＆Ｃ
条件レベル４  Ａ＆Ｃ
条件レベル５  Ａ＆Ｂ＆Ｄ
条件レベル６  Ａ＆Ｂ＆Ｅ
などと設定する。そして
レベル１の場合              制限項目  ｃ
レベル２または、４の場合    制限項目  ａ
レベル３または５、６の場合  制限項目  ａ  且つ  ｃ
などと構成すればよい。
【００５１】
これら、制限項目や条件レベルも先の条件項目と同様にカメラ部の電力の消費特性と情報記録再生装置本体からの電源供給能力により適切に決めることができる。
【００５２】
上記のように、条件項目、制限項目の種類、組み合わせは前記実施例以外にも様々に構成できることはもちろんである。
【００５３】
【発明の効果】
以上説明したように、本発明によれば、本体が電池で駆動されているときカメラ部で撮影を行っても、本体から十分電力を供給でき、撮影の瞬間に電源電圧が低下することなく、本体、及びカメラ部の安定して動作が可能である。
【図面の簡単な説明】
【図１】一実施例のブロック図である
【図２】一実施例の動作を説明したフローチャートである
【図３】他の実施例のブロック図である
【図４】他の実施例のフローチャートである
【図５】従来例を示す模式図である
【符号の説明】
１  情報記録再生装置
７  カメラ部
１００  表示ブロック
１０１  表示のためのメモリ
１０２  情報記録再生装置本体の制御のためのシステムメモリ
１０３  電源供給の選択切り替え手段
１０４  情報記録再生装置本体を制御するマイクロプロセッサ
１０５  操作ボタンやポインティングデバイスなどの操作スイッチ部材
１０６  情報記録再生装置本体及びカメラ部の電源となる電池
１０７  電池の電圧を計測するため電圧値をディジタル化するＡ／Ｄ変換器
１０８  情報記録再生装置本体側に設けられた、情報記録再生装置本体とカメラ部とを機械的に接続するためのコネクタ
１０９  情報記録再生装置本体とカメラ部との通信のための電気的なインターフェース
２００  カメラ部側に設けられた、情報記録再生装置本体とカメラ部とを機械的に接続するためのコネクタ
２０１  撮影のためのスタンバイスイッチ
２０２  撮影トリガースイッチ
２０３  カメラ部の制御のためのマイクロプロセッサ
２０４  カメラ部側に設けられた、情報記録再生装置本体とカメラ部との通信のための電気的なインターフェース
２０５  撮影されたデータを一時的に蓄えるためのメモリ
２０６  イメージセンサの出力をディジタル化するためのＡ／Ｄ変換器
２０７  ＣＣＤ等のイメージセンサ
２０８  撮像レンズ
２０９  被写体を照明するためのストロボ（Ｅ．Ｆ）などの照明手段
【図１】
0003559575.tif 000002
【図２】
0003559575.tif 000003
【図３】
0003559575.tif 000004
【図４】
0003559575.tif 000005
【図５】
0003559575.tif 000006